(57)【要約】【課題】携帯通信端末を使用して所望のマッサージモードの低周波パルス出力を制御することにより低周波によるマッサージ治療を行うことを可能にした携帯通信端末。【解決手段】無線送受信手段（１５、１５１、１５２）を備えると共に、低周波治療機能を備える。制御部１６は、低周波パルス電圧を発生させて、患部に接触させた図示しない治療用パッドに、外部接続端子８を介して、あるいは、ブルーツース送受信部２２を介して低周波パルス電圧を印加する。また、制御部１６は、無線送受信手段を用いて図示しない情報提供サイトから低周波パルス電圧の出力制御形態を取得し、前記低周波パルス電圧を生成する。低周波パルス電圧の出力制御形態は、ＲＯＭ２３、ＲＡＭ２４に格納しておくことができ、再度利用することができる。【選択図】      図１
2005252449.tif 000002
【特許請求の範囲】
【請求項１】
無線送受信手段を備えると共に、低周波治療機能を備える携帯通信端末において、低周波パルス電圧を発生させて、患部に接触させた治療用パッドに低周波パルス電圧を印加する制御手段を備え、該制御手段は、前記無線通信手段を用いて情報提供サイトから低周波パルス電圧の出力制御形態を取得し、前記低周波パルス電圧を生成することを特徴とする携帯通信端末。
【請求項２】
前記治療用パッドは、有線により接続されていることを特徴とする請求項１記載の携帯通信端末。
【請求項３】
ブルーツースを用いる通信手段を備え、前記制御手段は、前記低周波パルス電圧の出力制御形態の情報を前記ブルーツースを用いる通信手段により、前記治療用バッドに送信し、前記治療用パッドに備えられるブルーツースを用いる通信手段に受信させ、受信した前記低周波パルス電圧の出力制御形態の情報により治療用パッドの電極に低周波パルス電圧を印加させることを特徴とする請求項１記載の携帯通信端末。
【請求項４】
前記低周波パルス電圧の出力制御形態は、パルス幅、パルスの電圧、周波数の組み合わせであることを特徴とする請求項１、２または３記載の携帯通信端末。
【請求項５】
前記情報提供サイトから取得した低周波パルス電圧の出力制御形態を複数個格納保持する記憶手段をさらに備え、前記記憶手段に記憶された低周波パルス電圧の出力制御形態から任意の出力制御形態を選択して、前記治療用パッドに対する低周波パルス電圧の印加を行うことを特徴とする請求項１ないし４のうちいずれか１記載の携帯通信端末。
【請求項６】
無線送受信手段を備える携帯通信端末による低周波パルス電圧制御方法において、該無線通信手段を用いて情報提供サイトから低周波パルス電圧の出力制御形態を取得し、該出力制御形態に従った低周波パルス電圧を生成し、該低周波パルス電圧を患部に接触させた治療用パッドに印加することを特徴とする低周波パルス電圧制御方法。
【発明の詳細な説明】
【技術分野】
【０００１】
本発明は、携帯通信端末に係り、携帯電話機に代表される携帯用通信機に、アプリケーションサイトから治療用のプログラムをダウンロードして低周波によるマッサージ治療を行わせるようにした携帯通信端末に関する。
【背景技術】
【０００２】
疲労除去用であって電気的に駆動される健康器具に関する従来技術として、例えば、低周波治療器具が特許文献１等に記載されて知られている。この従来技術は、低周波治療専用の電気回路を内部に備える筐体と、この筐体に有線により接続された一対の治療用パッドとにより構成され、低周波の電圧パルスによりマッサージを行う治療器具に関するものである。この従来技術による器具は、ユーザが、一対の治療用パッドをユーザの患部に接触させ、低周波治療専用の筐体に内蔵された制御データにより、治療用パッド間に低周波パルス電圧を印加してユーザの患部を刺激することにより疲労除去を行うというものである。
【０００３】
また、この種の健康器具の他の従来技術として、例えば、特許文献２等に記載されたものが知られている。この従来技術は、携帯電話機のバイブレータ機能を利用したものであり、携帯電話機のバイブレータ機能をユーザの選択により発生させ、振動している携帯電話機の本体を患部にあてることによりマッサージ効果を得るようにしたものである。
【０００４】
さらに、超音波照射による患部に対する治療内容を制御するための制御データを携帯端末を介してネットワーク経由で遠隔制御するという技術が、例えば、特許文献３等に記載されて知られている。
【特許文献１】特開１９９５−３１３５７０号公報
【特許文献２】登録実用新案第３０３５７９９号
【特許文献３】特開２００３−２７５２０７号公報
【発明の開示】
【発明が解決しようとする課題】
【０００５】
特許文献１に記載された従来技術は、治療内容を特定する低周波パルスを出力する複数の制御情報が予め器具の本体内に内蔵されている。ユーザが治療内容を変更したい場合、ユーザは、予め内蔵されている複数の制御情報の１つを選択して使用することになる。一般に、低周波パルスは、一定の規則性を持って人体に印加されるため、ユーザは、低周波パルスに対する「慣れ」が生じてくる。低周波治療器は、このユーザの「慣れ」を軽減するため、低周波パルスの波形やパルス間隔を変えることにより「慣れ」の発生を押さえるように工夫してあるが、ユーザは、設定されたマッサージモードそのものに飽きが生じる。このため、この従来技術は、ユーザの満足感を満たすことができないという問題点を有しており、また、低周波治療専用の筐体と治療用パッドとが電気コードで有線により接続されているため、電気コードが猥雑であり、携帯時の利便性を阻害するという問題点をも有している。
【０００６】
また、特許文献２に記載された従来技術は、携帯電話機を使用して治療を行うものであるが携帯電話機のバイブレータ機能を利用するものであって、バイブレータ機能の制御情報も携帯電話機に内蔵されたものであり、マッサージ効果が一様なため、病気の種類や程度により、多種多様な病変部分の形状の変化に対処することができできないという問題点を有している。
【０００７】
さらに、特許文献３に記載された従来技術は、患部に対する治療内容を制御する制御データを携帯端末を介してネットワーク経由で遠隔制御するものであるが、治療内容を制御する制御情報が治療装置本体に内蔵されており、治療内容の変更を容易に行うことができるものではなく、また、病気の種類や程度により、多種多様な病変部分の形状の変化に対処することができできないという問題点を有している。
【０００８】
本発明の目的は、前述したような従来技術の問題点を解決し、携帯通信端末を使用して所望のマッサージモード（パルス幅、パルス電圧、周波数がそれぞれ異なる低周波パルス出力制御形態）の低周波パルス出力を制御することにより低周波によるマッサージ治療を行うことを可能にした携帯通信端末を提供することにある。
【課題を解決するための手段】
【０００９】
本発明によれば前記目的は、無線送受信手段を備えると共に、低周波治療機能を備える携帯通信端末において、低周波パルス電圧を発生させて、患部に接触させた治療用パッドに低周波パルス電圧を印加する制御手段を備え、該制御手段は、前記無線通信手段を用いて情報提供サイトから低周波パルス電圧の出力制御形態を取得し、前記低周波パルス電圧を生成することにより達成される。
【００１０】
また、前記目的は、前記治療用パッドが、有線により接続されていることにより、また、ブルーツースを用いる通信手段を備え、前記制御手段が、前記低周波パルス電圧の出力制御形態の情報をブルーツースを用いる通信手段により、前記治療用バッドに送信し、前記治療用パッドに備えられるブルーツースを用いる通信手段に受信させ、受信した前記低周波パルス電圧の出力制御形態の情報により治療用パッドの電極に低周波パルス電圧を印加させることにより達成される。
【００１１】
さらに、前記目的は、前記情報提供サイトから取得した低周波パルス電圧の出力制御形態を複数個格納保持する記憶手段をさらに備え、前記記憶手段に記憶された低周波パルス電圧の出力制御形態から任意の出力制御形態を選択して、前記治療用パッドに対する低周波パルス電圧の印加を行うことにより達成される。
【発明の効果】
【００１２】
本発明によれば、極めて多彩な複数種のマッサージモード（パルス幅、パルス電圧、周波数がそれぞれ異なる低周波パルス出力制御形態）からユーザが希望するモードによる低周波治療を行うことができる。
【００１３】
また、本発明によれば、携帯通信端末と治療パッドとの間をブルーツースによる無線により接続して治療を行うことができるので、携帯時の利便性の向上を図ることができるという効果を得ることができる。
【発明を実施するための最良の形態】
【００１４】
以下、本発明による携帯通信端末の実施形態を図面により詳細に説明する。なお、以下に説明する本発明の実施形態は、携帯用通信端末として携帯電話機を例に挙げて説明する。
【００１５】
図１は本発明の実施形態による携帯電話機の外観を示す斜視図及び治療用パッドの構成を説明する図、図２は治療用パッドの構成の変形例を説明する図である。図１、図２において、１は携帯電話機、２はアンテナ、３は本体、４は受話部、５は送話部、６は表示部、７はキー操作部、８は充電及び外部接続端子、９は治療用パッド、１０は接続端子、１１は治療用粘着パッド、１２は電極、１３は接続コード、１４は支持部材である。
【００１６】
本発明の実施形態による携帯電話機１は、図１（ａ）に示すように、アンテナ２を備えて折り畳み可能に構成される本体３と、この本体３に設けられる受話部４、送話部５、液晶等による表示部６、キー操作部７、充電用及び外部接続端子８等からなるもので、表示部６には、キー操作部７から入力された相手先電話番号等の数字データや文字データが表示される。このような外観を持つ携帯電話機１は、通常、使用されているよく知られているものである。本発明の実施形態は、このような外観に限らず、本体が折り畳むことができない構造となっているものであってもよい。
【００１７】
携帯電話機１からの制御信号により駆動される治療用パッドは、携帯電話機１の充電及び外部接続端子８に接続して使用するものと、携帯電話機１からブルーツース(Bluetooth)による無線方式で遠隔制御を受けるものとがある。
【００１８】
携帯電話機１の充電及び外部接続端子８に接続して使用する治療用パッド９は、図１（ｂ）に示すように、携帯電話機１の充電及び外部接続端子８に接続される接続端子１０と、この接続端子１０と患部に貼り付ける電極１２を有する一対の治療用粘着パッド１１とを接続コード１３により接続して構成される。そして、この治療用パッド９は、携帯電話機１の充電及び外部接続端子８に接続端子１０を接続し、一対の治療用粘着パッド１１を患部に取り付けた後、後述する携帯電話機１の制御部から低周波信号を受けて患部を刺激するように使用される。
【００１９】
また、携帯電話機１からブルーツース（Bluetooth)による無線方式で遠隔制御を受ける治療用パッド９は、図２に示すように、柔軟な部材により構成された支持部材１４上に、図１（ｂ）に示して説明したと同様な患部に貼り付ける電極１２を有する治療用粘着パッド１１を３個設けて構成されている。そして、図示していないが、支持部材１４の内部あるいは裏面側にブルーツース(Bluetooth）の受信部が設けられている。そして、この治療用パッド９は、３個の治療用粘着パッド１１を支持部材１４と共に患部に取り付けた後、後述する携帯電話機１の制御部からのブルーツース(Bluetooth）信号に乗せられた低周波信号を受けて患部を刺激するように使用される。なお、図２に示す治療用パッド９は、３個の治療用粘着パッド１１を備えるとして説明したが、治療用粘着パッド１１は、２個であってもよい。
【００２０】
図３は携帯電話機１の内部構成を示すブロック図である。図３において、１５はベースバンド処理部、１６は制御部、１７はスピーカ、１８は液晶表示装置、１９はキー操作装置、２０はマイク、２２はブルーツース送受信部、２３はＲＯＭ、２４はＲＡＭ、１５１は受信部、１５２は送信部、１６１はＤＳＰ、１６２はＣＰＵ、１６３は入出力制御部であり、他の符号は図１の場合と同一である。
【００２１】
携帯電話機１の本体３の内部には、通信用電波の送受信を行う送受信手段としての受信部１３及び送信部１４、ベースバンド処理部１５、制御部１６、受話部５を構成するスピーカ１６、液晶表示部６を構成する液晶表示装置１８、キー操作部７を構成するキー操作装置１９、送話部５を構成するマイク２０、充電及び外部データ機器との接続を行う外部接続端子８、近距離通信を直接行なうブルーツース送受信部２２が構成されている。
【００２２】
制御部１６は、携帯電話機としての機能を制御するための通常の通信制御を行うと共に、本発明に係る制御手段として構成され、ＤＳＰ(Digital Signal Processor）１６１、ＣＰＵ(Central Processing Unit）１６２及び入出力制御部１６３により構成される。また、制御のための使用される記憶手段として、ＲＯＭ(Read Only Memory)２３及びＲＡＭ(Random Access Memory)２４が設けられている。
【００２３】
ＲＯＭ２３及びＲＡＭ２４には、本発明の実施形態でのマッサージモードとして低周波パルスを各種の出力形態で出力させるための複数のプログラムデータが記憶（格納）されており、ユーザのキー操作に応じてＣＰＵ１６２がユーザの希望する出力形態が選択可能とされている。選択されたモードの情報は、治療用パッド９を制御する制御情報として、外部接続端子８から出力され、あるいは、ブルーツース送受信部２２から出力される。
【００２４】
なお、治療用パッド９を制御する制御情報は、外部接続端子８から出力される場合、電極１２を直接駆動することができるような信号形態に変換して出力され、ブルーツース送受信部２２から出力される場合、治療用パッド内で電極１２を駆動することができるような信号形態に変換される。また、制御情報は、外部接続端子８、ブルーツース送受信部２２の一方から出力されればよく、外部接続端子８に治療用パッド９が接続されたことを検出して、ブルーツース送受信部２２の動作を停止させるようにすることができる。
【００２５】
図４は治療用パッドの内部に設けられる回路構成を示すブロック図である。図４において、２５は電源、２６はブルーツース送受信部、２７は制御部、２８は昇圧パルス回路、２９は出力回路である。ここに示す構成の回路は、図２により説明したブルーツースによる無線方式で遠隔制御を受ける治療用パッド９の内部に設けられるものである。
【００２６】
治療用パッド９の内部には、電源２５、ブルーツース送受信部２６、制御部（ＣＰＵ）２７、昇圧パルス回路２８、出力回路２９により構成される回路が備えられる。なお、電源２５にはボタン電池等が用いられる。昇圧パルス回路２８は、携帯電話機１からの遠隔制御された発振周波数を数倍の振幅に増幅し、出力回路２９は、携帯電話機１からの遠隔制御により制御されたパルス幅と周波数とを治療用パッド９の電極１２に出力する。
【００２７】
低周波治療のための機のマッサージモードとしては、例えば、首、肩、腰等において、「たたく」、「もむ」等といったユーザが受ける異なったマッサージ作用を付与するように、低周波パルスの幅や周波数や出力間隔等を適宜異ならせたものが挙げられる。そして、本発明の実施形態は、インターネット上にマッサージデータを提供する情報提供サイトとしてのホームページが開設されているものとし、低周波パルスを出力させる際の各種低周波出力制御形態のプログラムデータ（パルス幅、パルス電圧、周波数がそれぞれ異なる低周波パルス出力制御形態）をホームページからダウンロードして実行するものである。
【００２８】
図５はホームページからプログラムデータをダウンロードして低周波パルスにより患部をマッサージする場合の処理で表示される画面の例を示す図、図６、図７はホームページからプログラムデータをダウンロードして低周波パルスにより患部をマッサージする場合の処理手順を説明するフローチャートであり、次に、図５に示す表示画面の例を参照しながら図６、図７に示すフローを説明する。
【００２９】
（１）ユーザによるキー操作部７の所定の操作によりマッサージデータダウンロード用のホームページが選択されると、液晶表示部６にマッサージデータダウンロード画面６a１が表示される。ここでの例では、マッサージモードとして、たたく、もむ、たたく＋もむ、たたくII、もむII、たたく＋もむIIの６つのモードがあるものとしており、携帯電話機１の表示部６の大きさを考慮して、これらのモードの半分が表示され、他の半分は、画面６ａ２として次頁に表示される（ステップＳ１、Ｓ２）。
【００３０】
（２）ユーザは、マッサージデータダウンロード画面６ａ１から希望するマッサージデータを選択するか、あるいは、次頁のマッサージデータダウンロード画面６ａ２へ画面スクロール操作を行う（ステップＳ３）。
【００３１】
（３）制御部１５は、ユーザによる前述のいずれかの操作が行われると、その操作入力が有効か否かを判定し、無効（ＮＧ）であればステップＳ４からの処理に戻る（ステップＳ４、Ｓ５）。
【００３２】
（４）ステップＳ５の判定で、操作入力が有効（ＯＫ）であった場合、ステップＳ３で行われた指示入力に基づいて、選択したマッサージモードタイプの選択確認画面６ｂを表示し、あるいは、次頁のマッサージモードダウンロード画面６ａ２を表示し、指示が選択したマッサージモードタイプの選択であるか、次頁または前頁のマッサージモードダウンロード画面へのスクロールであるかを判定する（ステップＳ６）。
【００３３】
（５）ステップＳ６の判定で、次頁のマッサージモードダウンロード画面へのスクロールであった場合、画面のスクロールを行って、ステップＳ４からの処理に戻って処理を続ける（ステップＳ７）。
【００３４】
（６）ステップＳ６の判定で、マッサージモードタイプの選択であった場合、マッサージデータダウンロード画面６ａ１、６ａ２から１つのマッサージデータが選択入力され、マッサージデータタイプの確認画面６ｂからユーザによる確認結果が入力される（ステップＳ８）。
【００３５】
（７）ユーザによる確認結果の入力は、入力チェックを経て当該マッサージデータタイプのダウンロードが、ここでは説明しないよく知られた方法でホームページに接続して実行される（ステップＳ９〜Ｓ１１）。
【００３６】
（８）マッサージモードのダウンロードが完了すると、液晶表示部６にダウンロードデータ実行／格納確認画面６ｃが表示され、ユーザは、ダウンロードしたマッサージモードを直ちに実行させるか、あるいは、後で実行させるために当該データを格納（記憶）させるかを選択入力させ、ダウンロード確認画面を表示する（ステップＳ１２、Ｓ１３）。
【００３７】
（９）ここで、ユーザによりダウンロードしたマッサージデータによる実行あるいは、データの格納指示がなされると、その入力のチェックが行われ、入力が妥当なものでなければ、正しい指示の入力を促す（ステップＳ１４、Ｓ１５）。
【００３８】
（10）ステップＳ１５のチェックで指示が正当なものであった場合、指示入力がデータを格納であったか、実行であったかを判定し、指示入力がデータを格納であった場合、当該ダウンロードデータを記憶手段、すなわち、ＲＡＭ２４に格納する（ステップＳ１６、Ｓ１７）。
【００３９】
（11）一方、ステップＳ１６の判定で、指示入力がユーザによりダウンロードしたマッサージデータの実行であった場合、治療用パッド９にアクセスしてアクセスが可能か否かを判定する。この判定は、図１（ｂ）に示した治療用パッド９が携帯電話機１に接続されているか否か、接続されていない場合、ダウンロードデータに基づいて制御部１６が図２（ｂ）に示した治療用パッド９を遠隔制御するようブルーツース送受信部２１に指示し、治療用パッド９のブルーツース送受信部２６に受信させて、携帯電話機１から治療用パッド９にアクセスし、携帯電話機１がアクセス権を備えているか否かを治療用パッド９に判断させることにより行われる（ステップＳ１８、Ｓ１９）。
【００４０】
（12）ステップＳ１９の判定で、アクセス権がないと判断された場合、すなわち、図１（ｂ）に示した治療用パッド９が携帯電話機１に接続されていなかった場合、あるいは、図２に示した治療用パッド９からアクセス拒否の情報を携帯電話機１に送信してきた場合、携帯電話機１は通信アクセス拒否画面６ｅを表示し、ステップＳ４からの処理に戻って、ユーザによる有効なキー入力を待つ（ステップＳ２０、Ｓ２１）。
【００４１】
（13）ステップＳ１９の判定で、アクセス権があると判断され、携帯電話機１側からの遠隔制御が可能になると、すなわち、図１（ｂ）に示した治療用パッド９が携帯電話機１に接続されていた場合、あるいは、図２に示した治療用パッド９からアクセス権がある旨の応答があった場合、マッサージモード強さ調整画面６ｄへ遷移する（ステップＳ２２）。
【００４２】
（14）ユーザは、この画面で低周波パルス電圧を調整し、図１（ｂ）に示した治療用パッド９に対しては、電極１２を直接駆動することができる低周波パルスを出力してマッサージ機能を実行させる。また、図２に示した治療用パッド９に対しては、ブルーツース送受信部２２を介して、マッサージの強さを含む情報を送信する。治療用パッド９は、昇圧パルス回路２８、出力制御部２９を経て電極１２に電圧調整を行った低周波パルスを出力する（ステップＳ２３、Ｓ２４）。
【００４３】
前述したような処理動作により、ユーザが選択したマッサージモード（低周波パルス出力形態）に基づいて治療用パッド９をユーザがマッサージを希望する身体的部位（患部）にあてがうことによって所期のマッサージ効果を得ることができる。
【００４４】
前述した本発明の実施形態によれば、凝りの症状に見合った低周波出力形態を電気通信回線を通じて直接入手することができるため、今後、追加、更新される新たなマッサージサービスの提供を容易に得ることができるようになる。なお、実行させたマッサージデータは、その複数を携帯電話機１内に格納しておくことができ、次回、同一の形態でマッサージを行おうとする際には、前述したダウンロード操作を行うことなく、格納したマッサージデータを選択して再生操作することにより、直ちにマッサージを実施することができる。また、ブルーツースによる無線により、治療用パッドを遠隔制御することができるのでワイヤレス化を実現することができる。
【００４５】
図８はダウンロードして保持していたマッサージデータの再生操作による低周波パルスにより患部をマッサージする場合の処理で表示される画面の例を示す図、図９は再生操作による低周波パルスにより患部をマッサージする場合の処理手順を説明するフローチャートであり、次に、図８に示す表示画面の例を参照しながら図９に示すフローを説明する。
【００４６】
（１）携帯電話機１のキー操作部７の操作によりマッサージ開始が選択されると、液晶表示部６にマッサージモード選択画面６Ａ１が表示される。ここでいうマッサージモードは、記憶手段であるＲＯＭ２３、ＲＡＭ２４に記憶された低周波パルスの出力制御形態であり、ここでは、図５に示したと同様に、マッサージモードとして、たたく、もむ、たたく＋もむ、たたくII、もむII、たたく＋もむIIの６つのモードがあるものとしており、携帯電話機１の表示部６の大きさを考慮して、これらのモードの半分が表示され、他の半分は、画面６Ａ２として次頁に表示される（ステップＴ１、Ｔ２）。
【００４７】
（２）ユーザは、表示されたマッサージ選択画面から希望するマッサージモードを選択するか、次頁のマッサージモード選択画面６Ａ２へ画面をスクロールすることになる。すなわち、前者の場合は、ユーザはマッサージ選択画面６Ａ１から希望するマッサージモードに対応するキーを選択入力し、後者の場合は、所定の画面スクロールキーを入力する（ステップＴ３）。
【００４８】
（３）制御部１６は、ユーザによる前述のいずれかの操作が行われると、その操作入力が有効か否かを判定し、無効（ＮＧ）であればステップＴ４からの処理に戻る（ステップＴ４、Ｔ５）。
【００４９】
（４）ステップＴ５の判定で、操作入力が有効（ＯＫ）であった場合、ステップＴ４で行われた指示入力が、次頁のマッサージモードの画面６Ａ２を表示するスクールの指示か、マッサージモードタイプの選択であるかを判定し、指示が次頁のマッサージモード画面へのスクロールであった場合、画面のスクロールを行って、ステップＴ４からの処理に戻って処理を続ける（ステップＴ６、Ｔ７）。
【００５０】
（５）ステップＴ６の判定で、指示がマッサージの実行であった場合、治療用パッド９にアクセスしてアクセスが可能か否かを判定する。この判定は、図２（ａ）に示した治療用パッド９が携帯電話機１に接続されているか否か、接続されていない場合、ダウンロードデータに基づいて制御部１６が図２（ｂ）に示した治療用パッド９を遠隔制御するようブルーツース送受信部２１に指示し、治療用パッド９のブルーツース送受信部２６に受信させて、携帯電話機１から治療用パッド９にアクセスし、携帯電話機１がアクセス権を備えているか否かを治療用パッド９に判断させることにより行われる（ステップＴ８、Ｔ９）。
【００５１】
（６）ステップＴ９の判定で、アクセス権がないと判断された場合、すなわち、図２（ａ）に示した治療用パッド９が携帯電話機１に接続されていなかった場合、あるいは、図２（ｂ）に示した治療用パッド９からアクセス拒否の情報を携帯電話機１に送信してきた場合、携帯電話機１は通信アクセス拒否画面６Ｅを表示し、ステップＴ４からの処理に戻って、ユーザによる有効なキー入力を待つ（ステップＴ１０、Ｔ１１）。
【００５２】
（７）ステップＴ９の判定で、アクセス権があると判断され、携帯電話機１側からの遠隔制御が可能になると、すなわち、図１（ｂ）に示した治療用パッド９が携帯電話機１に接続されていた場合、あるいは、図２に示した治療用パッド９からアクセス権がある旨の応答があった場合、マッサージモード強さ調整画面６Ｄへ遷移する（ステップＴ１２）。
【００５３】
（８）ユーザは、この画面で低周波パルス電圧を調整し、図１（ｂ）に示した治療用パッド９に対しては、電極１２を直接駆動することができる低周波パルスを出力してマッサージ機能を実行させる。また、図２に示した治療用パッド９に対しては、ブルーツース送受信部２２を介して、マッサージの強さを含む情報を送信する。治療用パッド９は、昇圧パルス回路２８、出力制御部２９を経て電極１２に電圧調整を行った低周波パルスを出力する（ステップＴ１３、Ｔ１４）。
【００５４】
前述したような処理動作により、ユーザが選択したマッサージモード（低周波パルス出力形態）に基づいて治療用パッド９をユーザがマッサージを希望する身体的部位（患部）にあてがうことによって所期のマッサージ効果を得ることができる。
【００５５】
前述した本発明の実施形態によれば、凝りの症状に見合った低周波出力形態のマッサージデータを携帯電話機１内に格納しておくことができるので、いつでも、格納したマッサージデータの再生操作により、直ちにマッサージを実施することができ、また、ブルーツースによる無線により、治療用パッドを遠隔制御することができるのでワイヤレス化を実現することができる。これにより、ユーザは、凝りの症状に見合った低周波治療をユーザ自身が選択することができるので、常に効果的なマッサージ作用を提供することができる。
【００５６】
以上、本発明の実施形態について説明したが、本発明は、前述の実施形態に限定されることなく、本発明の技術的思想に基づいて種々の変形が可能である。例えば、複数のマッサージモードを組み合わせたオリジナルのマッサージモードを作成、実行できるように構成したり、ユーザがアンケート形式で問診票を入力し、マッサージモード提供サイトから問診票の結果から最適なマッサージモードの組み合わせを提供してもらうようにすることも可能である。
【００５７】
また、前述した本発明の実施形態は、携帯用通信機として携帯電話機を例に挙げて説明したが、本発明は、文字情報や簡単な図形情報をも送受信可能な携帯型情報通信端末装置（ＰＤＡ；Personal Digital Assistant）等にも適用することが可能である。
【００５８】
前述で制御したように本発明の実施形態によれば、凝りの症状に見合った低周波マッサージモードをユーザ自身が選択することができるので、常に効果的なマッサージ作用を提供することが可能となり、また、凝り症状に見合った低周波パルス出力形態を、電気通信回線を通じて直接入手することができるため、今後、追加、更新される新たなマッサージサービスの提供を容易に得ることが可能となる。
【００５９】
さらに、前記した本発明の実施形態によれば、電気通信回線を通じて入手した各種マッサージデータを格納保存しておくことができ、これらをいつでも再生させてマッサージを行うことが可能となる。また、ブルーツース方式による治療用パッドを用いることにより、ワイヤレス化を実現することができ、携帯時の利便性を向上することができる。
【図面の簡単な説明】
【００６０】
【図１】本発明の実施形態による携帯電話機の外観を示す斜視図及び治療用パッドの構成を説明する図である。
【図２】治療用パッドの構成の変形例を説明する図である。
【図３】携帯電話機１の内部構成を示すブロック図である。
【図４】治療用パッドの内部に設けられる回路構成を示すブロック図である。
【図５】ホームページからプログラムデータをダウンロードして低周波パルスにより患部をマッサージする場合の処理で表示される画面の例を示す図である。
【図６】ホームページからプログラムデータをダウンロードして低周波パルスにより患部をマッサージする場合の処理手順を説明するフローチャート（その１）である。
【図７】ホームページからプログラムデータをダウンロードして低周波パルスにより患部をマッサージする場合の処理手順を説明するフローチャート（その２）である。
【図８】ダウンロードして保持していたマッサージデータの再生操作による低周波パルスにより患部をマッサージする場合の処理で表示される画面の例を示す図である。
【図９】再生操作による低周波パルスにより患部をマッサージする場合の処理手順を説明するフローチャートである。
【符号の説明】
【００６１】
１  携帯電話機
２  アンテナ
３  本体
４  受話部
５  送話部
６  表示部
７  キー操作部
８  充電及び外部接続端子
９  治療用パッド
１０  接続端子
１１  治療用粘着パッド
１２  電極
１３  接続コード
１４  支持部材
１５  ベースバンド処理部
１６  制御部
１７  スピーカ
１８  液晶表示装置
１９  キー操作装置
２０  マイク
２２  ブルーツース送受信部
２３  ＲＯＭ
２４  ＲＡＭ
２５  電源
２６  ブルーツース送受信部
２７  制御部
２８  昇圧パルス回路
２９  出力回路
１５１  受信部
１５２  送信部
１６１  ＤＳＰ
１６２  ＣＰＵ
１６３  入出力制御部
【図１】
2005252449.tif 000003
【図２】
2005252449.tif 000004
【図３】
2005252449.tif 000005
【図４】
2005252449.tif 000006
【図５】
2005252449.tif 000007
【図６】
2005252449.tif 000008
【図７】
2005252449.tif 000009
【図８】
2005252449.tif 000010
【図９】
2005252449.tif 000011